(57)【要約】【課題】デスクトップタワー型パソコン本体のカバーケースはメーカ仕様でシルバー色、クリームホワイト色、黒色に限定されてきているので、パソコンの使用者にとっては単調で飽きられていることが多い。然しながら、パソコン本体のカバーケースは、使用者が色を塗ったり、カラーテープやシールを貼ったりして装飾を施すと改造とみなされ保証外製品となることがあった。【解決手段】表面が飾り板を構成するアルミ、ステンレス、合成樹脂等の薄板からなる弾性基板、該弾性基板の左右端部または上下端部に互いに対向してＬ字状係止部を弾性基板と一体的に設け、該互いに対向して設けられたＬ字状係止部をパソコン本体の左右側面ケースカバーの上下縁部間または前後縁部間に弾性基板の弾性作用にてＬ字状係止部を嵌合することにより弾性基板からなる飾り板をパソコン本体の右側面ケースカバー上面或いは左側面ケースカバー上面に被覆添着可能とし、該飾り板上に任意に塗装を施したり、カラーシート、絵柄シートを貼着してパソコン本体の側面ケースカバー面上に装飾を施すこととした。【選択図】図２
2005183560.tif 000002
【特許請求の範囲】
【請求項１】
表面が飾り板を構成するアルミ、ステンレス、合成樹脂等の薄板からなる弾性基板の左右端部または上下端部に互いに対向してＬ字状係止部を前記弾性基板と一体乃至一体的に設け、該互いに対向して設けられたＬ字状係止部をパソコン本体の左右側面ケースカバーの上下縁部間または前後縁部間に弾性基板の弾性作用にてＬ字状係止部を嵌合することによって弾性基板からなる飾り板をパソコン本体の右側面ケースカバー上面或いは左側面ケースカバー上面に被覆添着可能に構成したこと、
を特徴とするデスクトップ型パソコン等におけるパソコン本体の飾り板。
【請求項２】
前記弾性基板からなる飾り板の上下端部または左右端部に設けられるＬ字状係止部が、該飾り板のそれぞれの端部に連続して設けられた形状、または化粧板の端部に断続して設けられた複数個の爪状係止部であること、
を特徴とする請求項１記載のパソコン本体の飾り板。
【請求項３】
前記パソコン本体の飾り板上に任意に塗装を施したり、あるいはカラーシート、絵柄シートを貼着してパソコン本体の側面ケースカバー面上に装飾を施すこと、
を特徴とする請求項１または請求項２記載のパソコン本体の飾り板。
【請求項４】
アルミ、ステンレス、合成樹脂等の薄板からなる弾性基板の飾り板全体を逆Ｕ字型となし、上部には冠着部を有し、又該冠着部両端より一体乃至一体的にパソコン本体の左右側面ケースカバーを被覆する飾り板を設け、該弾性基板の飾り板をパソコン本体ケースに上部方向より被せることによりパソコン本体の左右側面ケースカバー面上に前記飾り板を被覆添着可能となし、更には該飾り板上に任意に塗装を施したり、カラーシート、絵柄シートを貼着してパソコン本体の側面ケースカバー面上に装飾を施すこと、
を特徴とするデスクトップ型パソコン等におけるパソコン本体の飾り板。
【請求項５】
アルミ、ステンレス、合成樹脂等の薄板からなる飾り板をパソコン本体ケースの左右側面カバーケースを装飾する板状体となし、該板状体は上端部にて支持具により懸吊されパソコン本体の左右側面ケースカバー面上に飾り板を被覆添着可能となし、前記飾り板の支持具はパソコン本体カバー上面平部に吸着可能な吸盤機構に角度調整軸を介して連結されていること、
を特徴とするデスクトップ型パソコン等におけるパソコン本体の飾り板。
【請求項６】
前記パソコン本体の左右側面ケースカバー上に被覆添着可能な飾り板を弾性基板表面に透明アクリル板等を適宜な間隙をもつて装着し、該弾性基板と透明アクリル板との間隙に上方部等よりカラーシートや写真等を挿着して保持可能に構成したこと、
を特徴とする請求項１乃至請求項５記載のパソコン本体の飾り板。
【請求項７】
前記飾り板の表面には該飾り板と一体化されて形成されたポケット部が設けられており、該ポケット部にメモや写真、書類等を保持可能にしたこと、  を特徴とする請求項１乃至請求項６記載のパソコン本体の飾り板。
【発明の詳細な説明】
【技術分野】
【０００１】
本発明は、主にデスクトップタワー型パソコン等におけるパソコン本体の左右側面ケースカバーを自由に色づけしたり、飾り付けすることの可能な飾り板に関するものである。
【背景技術】
【０００２】
デスクトップタワー型パソコン本体のカバーケースは、近時、シルバー色、クリームホワイト色、黒色等のメーカー仕様色に限定されてきているので、パソコンの使用者にとっては単調で飽きられていることが多い。
【０００３】
然しながら、パソコン本体のカバーケースは、使用者が色を塗ったり、カラーテープやシールを貼ったりして装飾を施すと改造とみなされ保証外製品となることがあった。
【発明の開示】
【発明が解決しようとする課題】
【０００４】
本発明が解決しようとする課題は、デスクトップタワー型パソコン本体の左右側面カバーケース面を任意な色の飾り板を選択して装着することにより雰囲気を変えたり、装着した飾り板にパソコンの使用者が任意にカラーシートや絵柄シーと等で自由に飾り付けができ、該飾り板は、パソコンのメンテナンス時や修理時に簡単にパソコン本体より取り外しが可能で、メーカー側のメンテナンス要員に保証外製品扱いされないパソコン本体の側面の飾り板を提供するものである。
【課題を解決するための手段】
【０００５】
本発明は、上記課題を解決するために、表面が飾り板を構成するアルミ、ステンレス、合成樹脂等の薄板からなる弾性基板を設け、該弾性基板の左右端部または上下端部に互いに対向してＬ字状係止部を弾性基板と一体的に設けて、該互いに対向して設けられたＬ字状係止部をパソコン本体の左右側面ケースカバーの上下縁部間または前後縁部間に弾性基板の弾性作用にてＬ字状係止部を嵌合挟持することにより弾性基板からなる飾り板をパソコン本体の右側面ケースカバー上面、或いは左側面ケースカバー上面に被覆添着可能に構成した。
【０００６】
また、前記弾性基板からなる飾り板の左右端部または上下端部に設けられるＬ字状係止部は飾り板のそれぞれの端部に連続して設けられた形状や化粧板の端部に断続して設けられた複数個の爪状係止部とすることもできる。
【０００７】
而して本発明は、上記構成によりパソコン本体ケースカバー上に装着した飾り板上に、更に、パソコン使用者が任意に塗装を施したり、カラーシート、絵柄シートを貼着してパソコン本体の側面ケースカバー面上に装飾を施すことを可能としたデスクトップ型パソコン等におけるパソコン本体の飾り板を具現した。
【０００８】
本発明は、他の実施例としてアルミ、ステンレス、合成樹脂等の薄板からなる弾性基板の飾り板を作り、該弾性基板の飾り板は逆Ｕ字型をなし上部に冠着部を有しており、該冠着部両端より一体的にパソコン本体の左右側面ケースカバーを被覆する飾り板部が設けられ、該弾性基板の飾り板をパソコン本体ケースに上部方向より被せることによりパソコン本体の左右側面ケースカバー面上に飾り板が被覆添着可能となし、該飾り板上に任意に塗装を施したり、カラーシート、絵柄シートを貼着してパソコン本体の側面ケースカバー面上に装飾を施すことの可能なデスクトップ型パソコン等におけるパソコン本体の飾り板を具現した。
【０００９】
更に、本発明の実施例としてアルミ、ステンレス、合成樹脂等の薄板からなる弾性基板の飾り板をパソコン本体ケースの左右側面カバーケースを装飾する板状体となし、該板状体は上端部で支持具により懸吊されパソコン本体の左右側面ケースカバー面上に飾り板が被覆添着可能となし、前記飾り板の支持具はパソコン本体カバー上面平部に吸着可能な吸盤機構に角度調整軸を介して連結されている構成としたデスクトップ型パソコン等におけるパソコン本体の飾り板を具現した。
【００１０】
斯くして、本発明においては、上記構成に加え、前記パソコン本体の左右側面ケースカバー上に被覆添着可能な飾り板は弾性基板表面に透明アクリル板等を適宜な間隙をもつて装着されており、該弾性基板と透明アクリル板との間隙に上方部等よりカラーシートや写真等を挿着して保持可能に構成したパソコン本体の飾り板を提供することができた。
【００１１】
また、前記飾り板の表面には該飾り板のと一体化されて形成されたポケットが設けられるようになり、該ポケットにメモや写真や書類を保持可能にしたパソコン本体の飾り板を提供することもできた。
【発明の効果】
【００１２】
本発明においては、簡単に製作可能な付属品を用いることにより、デスクトップタワー型パソコン本体の左右側面カバーケース面を任意な色の飾り板を選択して装着することにより雰囲気を変えたり、装着した飾り板にパソコンの使用者が任意にカラーシートや絵柄シート等で自由に飾り付けすることが可能となった。
【００１３】
また本発明における飾り板の形状は、カラーシートや写真を保持するケースや、メモや書類を保管できるポケットを飾り板表面に簡単に構成可能で、該任意に加工された飾り板は、パソコンのメンテナンス時や修理時に簡単にパソコン本体より取り外すことができるので、該飾り板は、メーカー側のメンテナンス要員に保証外製品扱いされないという大きな効果を有するパソコン本体の側面の飾り板を提供することができた。
【発明を実施するための最良の形態】
【００１４】
本発明を実施するための最良の形態は、表面が飾り板を構成するアルミ、ステンレス、合成樹脂等の薄板からなる弾性基板、該弾性基板の上下端部または左右端部に互いに対向してＬ字状係止部を弾性基板と一体的に設け、該互いに対向して設けられたＬ字状係止部をパソコン本体の左右側面ケースカバーの上下縁部間または前後縁部間に弾性基板の弾性作用にてＬ字状係止部を嵌合することにより弾性基板からなる飾り板をパソコン本体の左側面ケースカバー上面或いは右側面ケースカバー上面に被覆添着可能としたことである。
【００１５】
そして、前記弾性基板からなる飾り板の上下端部または左右端部に設けられるＬ字状係止部は飾り板のそれぞれの端部に連続して設けられた形状、または化粧板の端部に断続して設けられた複数個の爪状係止部としたことが好ましい。
【００１６】
本発明においては、前記パソコン本体の右側面ケースカバー上面或いは左側面ケースカバー上面に被覆添着可能に構成した弾性基板からなる飾り板を装着し、該飾り板上に任意に塗装を施したり、カラーシート、絵柄シートを貼着してパソコン本体の側面ケースカバー面上に装飾を施すことができる形態が好ましい。
【００１７】
また、本発明の実施の形態例として、アルミ、ステンレス、合成樹脂等の薄板からなる弾性基板の飾り板、該弾性基板の飾り板は逆Ｕ字型をなし上部に冠着部を有しており、該冠着部両端より一体的にパソコン本体の左右側面ケースカバーを被覆する飾り板部が設けられていて、該弾性基板の飾り板をパソコン本体ケースに上部方向より被せることによりパソコン本体の左右側面ケースカバー面上に飾り板が被覆添着可能となし、該飾り板上に任意に塗装を施したり、カラーシート、絵柄シートを貼着してパソコン本体の側面ケースカバー面上に装飾を施すことも要旨としている。
【００１８】
更に本発明の実施の形態例は、アルミ、ステンレス、合成樹脂等の薄板からなる弾性基板の飾り板はパソコン本体ケースの左右側面カバーケースを装飾する板状体となし、該板状体は上端部で支持具により懸吊されパソコン本体の左右側面ケースカバー面上に飾り板が被覆添着可能となし、前記飾り板の支持具はパソコン本体カバー上面平部に吸着可能な吸盤機構に角度調整軸を介して連結されていることも要旨としている。
【００１９】
而して上記の実施の形態において、前記パソコン本体の左右側面ケースカバー上に被覆添着可能な飾り板は弾性基板表面に透明アクリル板等を適宜な間隙をもつて装着されており、該弾性基板と透明アクリル板との間隙に上方部等よりカラーシートや写真等を挿着して保持可能に構成したことも重要な要旨である。
【００２０】
更に、前記飾り板の表面には該飾り板と一体化されて形成されたポケットが設けられており、該ポケットにメモや写真や書類を保持可能に構成したことも重要な要旨である。
【実施例１】
【００２１】
本発明の実施例１を、図１乃至図３に基づき説明する。図１は本発明が主に実施されるデスクトップタワー型パソコンの構成説明図、図２は本発明の取付部位を説明する斜視説明図、図３は本発明の取付完了状態を説明する正面図である。
【００２２】
図１乃至図３において、１はデスクトップタワー型パソコンで、２はディスプレイ、３はキーボード、４はマウス、５はパソコン本体である。
パソコン本体５の表面６にはフロッピー（登録商標）デスクドライブ７と、ＣＤ−ＲＯＭドライブ８と起動スイッチ９が配置されており、該パソコン本体５はフロントカバー１０、リニアカバー１１，上部カバー１２、並びに図上にて右側面ケースカバー１３、左側面ケースカバー１４に覆われている。
【００２３】
而して、図２において、実施例１は、右側面ケースカバー１３に対向した位置に飾り板１５ａ、左側面ケースカバー１４に対向した位置に飾り板１５ｂが配置されている。
【００２４】
飾り板１５ａの形状を説明すると、飾り板１５ａは、表面が化粧材を構成して任意に色付けされていたり、模様付けされたアルミ、ステンレス、合成樹脂等の薄板からなる弾性基板１６であり、該弾性基板１６の上端部１７、下端部１８には互いに対向してＬ字状係止部１９、２０が弾性基板１６と一体的に設けられている。
【００２５】
従って互いに対向して設けられたＬ字状係止部１９、２０をパソコン本体５の右側面ケースカバー上縁部２１と下縁部２２間に弾性基板１６の弾性作用にて嵌合することにより弾性基板１６からなる飾り板１５ａを図３に示す如く、パソコン本体５の右側面ケースカバー１３上面に簡単に被覆添着可能である。
【００２６】
斯くして飾り板１５ａは、アルミ、ステンレス、合成樹脂等の薄板で種々の色付けが初めからなされていたり、アルミ、ステンレスの如く素材色の美しさに表面仕上げを施したもの等色々なものを製作しておいて、利用者が任意に選択購入でき、該飾り板１５ａをパソコン本体５に嵌着した後に任意色に塗装を施したり、カラーシート、絵柄シートを貼着してパソコン本体５の右側面ケースカバー１３上面を飾り付けすることもできる。
【００２７】
上記実施例においては、Ｌ字状係止部２０を先に右側面ケースカバー下縁部２２に嵌合し、弾性基板１６の弾性を利用してＬ字状係止部１９を右側面ケースカバー上縁部２１に嵌合すことができるようにＬ字状係止部１９は端部を筒状に丸めた構成とした。
【００２８】
そして前記弾性基板１６からなる飾り板１５ａの上端部１７と下端部１８に設けられるＬ字状係止部１９、２０はそれぞれの端部に連続して設けられた形状を有している。
【００２９】
更に、図２において、左側面ケースカバー１４に対向した位置に配置された飾り板１５ｂについて説明する。飾り板１５ｂは飾り板１５ａと同様に表面が飾り板１５を構成するアルミ、ステンレス、合成樹脂等の薄板からなる弾性基板１６、該弾性基板１６の前端部２３と後端部２４に互いに対向してＬ字状係止部１９、２０を弾性基板１６と一体的に設け、該互いに対向して設けられたＬ字状係止部１９、２０をパソコン本体５のフロントカバー１０とリニアカバー１１の縁部間に弾性基板１６の弾性作用にてＬ字状係止部１９、２０を嵌合することにより弾性基板１６からなる飾り板１５ｂをパソコン本体５の左側面ケースカバー１４上面に被覆添着可能とした。
【００３０】
そして前記弾性基板１６からなる飾り板１５ｂの左右端部に設けられるＬ字状係止部１９、２０の内、Ｌ字状係止部１９は図２に示す如く、複数個の爪状係止部２５，２６とし、Ｌ字状係止部２０は飾り板１５ｂの端部に連続して設けられた形状とし、図３に示す如く左側面ケースカバー１４に簡単に嵌着可能である。
【実施例２】
【００３１】
図４は実施例２を示す斜視説明図であり、図４において５はパソコン本体、１０はフロントカバー、１２は上部カバー、１３は右側面ケースカバー、１４は左側面ケースカバーを示している。
【００３２】
而して実施例２において、１６はアルミ、ステンレス、合成樹脂等の薄板から製作される弾性基板、該弾性基板１６から成る飾り板１５ａ、１５ｂは全体形状として逆Ｕ字型を構成し、上部に冠着部２７を有している。
【００３３】
冠着部２７の両端部より一体的にパソコン本体の右側面ケースカバー１３と左側面ケースカバー１４を被覆する飾り板１５ａ、１５ｂが設けられており、該弾性基板１６の飾り板１５ａ、１５ｂをパソコン本体５の上部方向より被せることによりパソコン本体５の右側面ケースカバー１３と右側面ケースカバー１４面上に飾り板１５が被覆添着可能となし、該飾り板１５上に任意に塗装を施したり、カラーシート、絵柄シートを貼着してパソコン本体５の側面ケースカバー面上に装飾を施すことができる。
【実施例３】
【００３４】
図５は実施例３を説明する要部拡大説明図であり、５はパソコン本体、１２は上部カバー、１３は右側面ケースカバー、１５は飾り板を示している。
【００３５】
而してアルミ、ステンレス、合成樹脂等の薄板からなる飾り板１５はパソコン本体ケース５の左右側面カバーケース１３、１４を装飾する板状体となし、該板状体は上部で支持具２８により懸吊されパソコン本体５の左右側面ケースカバー１３、１４面上に飾り板１５が被覆添着可能となし、前記飾り板１５の支持具２８はパソコン本体５の上面カバー１２平部に吸着可能な吸盤機構２９に角度調整軸３０を介して連結されている。
【実施例４】
【００３６】
図６は実施例４を説明する斜視図であり、図において弾性基板１６にて構成される飾り板１５はその上端部１７に爪状係止部２５、２６を有し、下端部１８にはＬ字状係止部２０を有しており、該対向して設けられた爪状係止部２５、２６とＬ字状係止部２０間にパソコン本体５の上縁部２１と下縁部２２を嵌合して、前記飾り板１５を嵌着する。
【００３７】
而して実施例４は、前記パソコン本体５の左右側面ケースカバー１３、１４上に被覆添着可能な飾り板１５で有り、該飾り板１５はは弾性基板１６表面に透明アクリル板３１等を適宜な間隙３２を持って装着されており、該弾性基板１６と透明アクリル板３１との間隙３２に上方部等よりカラーシートや写真等を挿着して保持可能に構成した。
【実施例５】
【００３８】
図７は実施例４を説明する斜視図であり、図において弾性基板１６にて構成される飾り板１５はその上端部１７にＬ字状係止部１９を有し、下端部１８にはＬ字状係止部２０を有しており、該対向して設けられたＬ字状係止部１９とＬ字状係止部２０間にパソコン本体５の上縁部２１と下縁部２２を嵌合して、前記飾り板１５を嵌着する。
【００３９】
斯くして、前記飾り板１５の表面には該飾り板１５と一体化されて形成されたポケット３３が設けられており、該ポケット３３にメモや写真や書類を保持可能にした。
【産業上の利用可能性】
【００４０】
本発明は、上述の如く簡単に製作可能な付属品を用い、デスクトップタワー型パソコン本体の左右側面カバーケース面を任意な色の飾り板を選択して装着することで雰囲気を変えたり、装着した飾り板にパソコンの使用者が任意にカラーシートや絵柄シーと等で自由に飾り付けすることが可能となった。
【００４１】
また本発明における飾り板の形状は、カラーシートや写真を保持するケースや、メモや書類を保管できるポケットを飾り板表面に簡単に構成可能で、該任意に加工された飾り板は、パソコンのメンテナンス時や修理時に簡単にパソコン本体より取り外すことができるので、該飾り板は、メーカー側のメンテナンス要員に保証外製品扱いされないという大きな効果を有し、パソコンの付属品として大いに販売され産業上広く活用されるものであり、その利用価値は多大なものがある。
【図面の簡単な説明】
【００４２】
【図１】本発明が主に実施されるデスクトップタワー型パソコンの構成説明図である。
【図２】本発明の取付部位を説明する斜視説明図である。
【図３】本発明の取付完了状態を説明する正面図である。
【図４】実施例２を示す斜視説明図である。
【図５】実施例３を説明する要部拡大説明図である。
【図６】実施例４を説明する斜視図である。
【図７】実施例５を説明する斜視図である。
【符号の説明】
【００４３】
１  デスクトップタワー型パソコン
２  ディスプレイ
３  キーボード
４  マウス
５  パソコン本体
６  表面
７  フロッピー（登録商標）デスクドライブ
８  ＣＤ−ＲＯＭドライブ
９  起動スィッチ
１０  フロントカバー
１１  リニアカバー
１２  上部カバー
１３  右側面ケースカバー
１４  左側面ケースカバー
１５、１５ａ、１５ｂ  飾り板
１６  弾性基板
１７  上端部
１８  下端部
１９、２０  Ｌ字状係止部  
２１  上縁部
２２  下縁部
２３  前端部
２４  後端部
２５  爪状係止部
２６  爪状係止部
２７  冠着部
２８  支持具
２９  吸盤機構
３０  角度調整軸  
３１  透明アクリル板
３２  間隙
３３  ポケット
【図１】
2005183560.tif 000003
【図２】
2005183560.tif 000004
【図３】
2005183560.tif 000005
【図４】
2005183560.tif 000006
【図５】
2005183560.tif 000007
【図６】
2005183560.tif 000008
【図７】
2005183560.tif 000009